(57)【特許請求の範囲】
【請求項１】
内周面にボルトが螺合可能な雌ネジ部が形成された円筒体を分割した複数の分割円筒体形状部材からなるナットと、該ナットの外周に嵌合されて前記分割円筒体形状部材を互いに接近及び離間させる略円筒状操作部材とを備え、前記略円筒状操作部材を前記ナットに対して移動させることで前記分割円筒体形状部材が接近して前記ナットの内径が第１の内径になる時前記ボルトと螺合し、前記分割円筒体形状部材が離間して前記ナットの内径が第２の内径になる時前記ボルトと螺合しない状態となる連結用クリップにおいて、前記複数の分割円筒体形状部材はそれぞれ一体的に案内部を備え、前記略円筒状操作部材は、その内周側に、前記案内部の間に押し入れられて前記案内部の間で挟まれる挟入部と、該挟入部により移動させられる前記分割円筒体形状部材に当接して前記分割円筒体形状部材の内周面が前記ボルトの中心軸と平行に移動するよう規制する規制部とを備え、前記案内部の間に前記挟入部が無い時は前記ナットの内径は前記第１の内径となり、前記案内部の間に前記挟入部が挟まれた時は前記ナットの内径は前記第２の内径となることを特徴とする連結用クリップ。
【請求項２】
前記案内部に設けられ、移動してきた前記挟入部を所定の位置で保持し、前記ナットの内径を前記第1の内径若しくは前記第２の内径の何れか１つに保持する保持部を備えることを特徴とする、請求項１に記載の連結用クリップ。
【請求項３】
複数の前記分割円筒形状部材の一端はそれぞれ、前記ボルトが挿通される環状部を介して互いに薄肉ヒンジ部で一体的に連結されていることを特徴とする、請求項１に記載の連結用クリップ。
【請求項４】
前記操作部は前記ナットに対して周方向は固定されており、前記操作部に締結工具が嵌合される嵌合部が設けられていることを特徴とする、請求項１に記載の連結用クリップ。
【請求項５】
便座と、該便座が回転可能に固定される便器と、該便器に固定される洗浄用水タンクとを備えるトイレ用衛生器具であって、内周面にボルトが螺合可能な雌ネジ部が形成された円筒体を分割した複数の分割円筒体形状部材からなるナットと、該ナットの外周に嵌合されて前記分割円筒体形状部材を互いに接近及び離間させる略円筒状操作部材とを備え、前記略円筒状操作部を前記ナットに対して移動させることで前記分割円筒体形状部材が接近して前記ナットの内径が第１の内径になる時前記ボルトと螺合し、前記分割円筒体形状部材が内径方向に離間して前記ナットの内径が第２の内径になる時前記ボルトと螺合しない状態となる連結用クリップにおいて、前記複数の分割円筒体形状部材はそれぞれ一体的に案内部を備え、前記略円筒状操作部材は、その内周側に、前記案内部の間に押し入れられて前記案内部の間で挟まれる挟入部と、該挟入部により移動させられる前記分割円筒体形状部材に当接して前記分割円筒体形状部材の内周面が前記ボルトの中心軸と平行に移動するよう規制する規制部とを備え、前記案内部の間に前記挟入部が無い時は前記ナットの内径は前記第１の内径となり、前記案内部の間に前記挟入部が挟まれた時は前記ナットの内径は前記第２の内径となることを特徴とする連結用クリップで連結固定されることを特徴とするトイレ用衛生器具。
【発明の詳細な説明】
【０００１】
【発明の属する技術分野】
本発明は、ボルトによる締結の際にボルトの先端部に螺合される連結用クリップに関し、特にトイレの便座、洗浄用水タンク等を便器に取り付ける場合等に使用される連結用クリップに関する。
【０００２】
【従来の技術】
一般に狭い空間内に設置されることの多い、トイレの便座、洗浄用水タンク、便器等から構成されるトイレ用衛生器具の組み付け、分解を容易にするため、これらの構成品を連結するボルトの先端に螺合されるナットを有した連結用クリップには特有の作動が要求される。トイレ用衛生器具をボルト及び連結用クリップにより連結する場合、トイレ用衛生器具の複数の構成品を挿通したボルトに対して、その先端から頭部方向に順にナットを回し入れる通常の締め付けは行わない。まず、連結用クリップ内のナットの内径を広げて、ナットがボルトの外側で遊嵌した状態でナットをボルト頭部へ移動させる。連結される構成品を貫通するボルトにおいて、構成品になるべく近い位置までナットを移動し、ナットの内径を縮めてナットとボルトが螺合する状態にした後、連結用クリップを回転させて締め付けを行う。これにより、ボルトに対して少ない回転量で連結用クリップを締め付けることができ、トイレ用衛生器具の構成品の組み付け性は向上している。また、メンテナンス或いは清掃等でボルト及び連結用クリップによる締結を解除する場合は、連結用クリップが締め付け固定されている位置でナット内径を広げる。この作動により、ナットとボルトは螺合しない状態になり、ナットはボルトの外側で遊嵌した状態になるため、ナットはボルトの先端部へ容易に抜き取ることができ、トイレ用衛生器具のメンテナンス性は向上している。
【０００３】
従来のこの種の部品として特開平９−１１９４２４に記載されているものがある。この部品は円筒体を中心軸に平行な平面で分割した半円筒体形状のナットの外側に嵌合した略円筒状の操作部と呼ばれる部品を移動させることにより半円筒状のナットの内径を変化させて、ナット内周に挿通したボルトを螺合する状態若しくは螺合しない状態にするものである。
【０００４】
【発明が解決しようとする課題】
この部品においては、操作部を移動させてナットの内径を大きくした、即ちナットを広げた時、対向する半円筒状のナットは一端側に支点を置いて互いに反対方向に回動するように広がる。このため、他端においてはナットの内径を充分に大きく確保することができる。しかし、一端の内径は変化が小さいため、広げたナット内周にボルトを挿通する際にボルトのネジ山とナットの一端側内周面の間の隙間を充分に取ることができない。このため、ナットの一端側付近の内周面には雌ネジを形成することを避ける必要があった。
【０００５】
近年、トイレ用衛生器具には、製造コストを抑える等の理由から樹脂製のボルトが多用されている。これに伴いナットも樹脂製となっている。小さなネジ部でも大きな締結力を有する金属製のナットと金属製ボルトの組み合わせとは異なり、樹脂製のナットを樹脂製ボルトに締め付ける場合、ナットの雌ネジ部を減少させるには締結力への影響を考慮する必要があった。このため、ネジ部を減少させる必要のないナットを有した連結用クリップが求められていた。
【０００６】
本発明の課題は連結用クリップ内の略円筒形状のナットの内径を広げて、ボルトの外側においてナットを遊嵌する状態にした時、ボルトに対して平行にナットが離れることでボルトとナットの間の隙間を充分に確保できる連結用クリップを提供することである。
【０００７】
【課題を解決するための手段】
上記した技術的課題を解決するために講じた第１の技術的手段は請求項１に示すように、内周面にボルトが螺合可能な雌ネジ部が形成された円筒体を分割した複数の分割円筒体形状部材からなるナットと、該ナットの外周に嵌合されて前記分割円筒体形状部材を互いに接近及び離間させる略円筒状操作部材とを備え、前記略円筒状操作部材を前記ナットに対して移動させることで前記分割円筒体形状部材が接近して前記ナットの内径が第１の内径になる時前記ボルトと螺合し、前記分割円筒体形状部材が離間して前記ナットの内径が第２の内径になる時前記ボルトと螺合しない状態となる連結用クリップにおいて、前記複数の分割円筒体形状部材はそれぞれ一体的に案内部を備え、前記略円筒状操作部材は、その内周側に、前記案内部の間に押し入れられて前記案内部の間で挟まれる挟入部と、該挟入部により移動させられる前記分割円筒体形状部材に当接して前記分割円筒体形状部材の内周面が前記ボルトの中心軸と平行に移動するよう規制する規制部とを備え、前記案内部の間に前記挟入部が無い時は前記ナットの内径は前記第１の内径となり、前記案内部の間に前記挟入部が挟まれた時は前記ナットの内径は前記第２の内径となることを特徴とする連結用クリップを構成したことである。
【０００８】
上記の構成によれば、隣接する分割円筒形状部材のそれぞれの案内部間に操作部に設けられた挟入部が押し込まれる前、即ち案内部間に挟入部が無い状態では、ナットの内径はボルトの外周とほぼ等しく、ナット内径はナットとボルトが螺合する第1の内径となっている。一方、隣接する分割円筒形状部材の案内部間に操作部材に設けられた挟入部が押し込まれ、案内部間の間隔を広げられると、案内部と一体の分割円筒形状部材が構成するナットの内周長は大きくなり、ナットの内径は広がってナットとボルトが螺合しない第２の内径となる。これと同時に内周が広がる方向へ移動する分割円筒形状部材に当接して分割円筒形状部材のボルトの中心軸を含む平面内における回動を抑え、分割円筒形状部材、即ちナットの内周面がボルトの軸方向に平行な状態を保ちつつ、ナットの内周面をボルトの外周面から離すことができる。上記の案内部、挟入部及び規制部の協働によりボルト外周面の雄ネジ部に対し、ナット内周面の全長にわたる雌ネジ部全体を均等に離すことができる。このため、ナットの雌ネジ部の一部がボルトの雄ネジ部と干渉することがなくなり、ナット内周全長にわたって雌ネジ部を設けることが可能になり、ネジ部長さをより長く必要とする樹脂製ボルト及びナットの締結力の確保が容易となる。
【０００９】
より好ましくは請求項２に示すように、前記案内部に設けられ、移動してきた前記挟入部を所定の位置で保持し、前記ナットの内径を前記第1の内径若しくは前記第２の内径の何れか１つに保持する保持部を備えることを特徴とする、請求項１に記載の連結用クリップを構成するとよい。
【００１０】
上記の構成によれば、案内部に保持部を設けて、挟入部が案内部間に入らないように保持してナットの内径を第１の内径に保持することができる。また、案内部間に入ってきた挟入部を所定の位置で保持し、ナットの内径を第２の内径に保持することができる。このため、操作部によるナットの内径を第1の内径及び第２の内径の何れか一方への確実に切り替えることができる。特にナットの内径がボルトとナットが螺合しない、第２の内径になるとボルト及びナットによる締結が解除された状態になるため、締結が不用意に解除されることを防ぐ上で効果的である。
【００１１】
さらに、好ましくは請求項３に示すように複数の前記分割円筒形状部材の一端はそれぞれ、前記ボルトが挿通される環状部を介して互いに薄肉ヒンジ部で一体的に連結されていることを特徴とする、請求項１に記載の連結用クリップを構成するとよい。
【００１２】
上記の構成によれば、ナットとなる複数に分割円筒形状部材を折り曲げ可能な薄肉ヒンジ部で連結して一体成形することにより、連結用クリップの組み付けの際にナットがばらばらにならず作業性が向上する。また、分割円筒形状部材の一端同士を薄肉ヒンジ部で繋ぐのではなく、環状部を介して繋いだことにより、一端同士の間にボルト径よりやや大きい所定の距離を保つことができる。これにより、分割円筒形状部材がナットとしてクリップに組みつけられ、操作部材の挟入部によって移動する際、一端は既にボルト外周よりやや外側に位置させることができるため、規制部との協働と相まって、分割円筒形状部材が一端を中心とした回動の防止に効果がある。
【００１３】
さらに、請求項４に示すように前記操作部は前記ナットに対して周方向は固定されており、前記操作部に締結工具が嵌合される嵌合部が設けられていることを特徴とする、請求項１に記載の連結用クリップを構成するとよい。
【００１４】
上記構成によれば、ナットの周方向に、ナット、操作部及び嵌合部は一体的に回転が可能であるため、締結工具を用いて嵌合部を回転させ、より大きなトルクでナットを締め付けることが可能になる。
【００１５】
さらに、請求項５に示すように便座と、該便座が回転可能に固定される便器と、該便器に固定される洗浄用水タンクとを備えるトイレ用衛生器具であって、内周面にボルトが螺合可能な雌ネジ部が形成された円筒体を分割した複数の分割円筒体形状部材からなるナットと、該ナットの外周に嵌合されて前記分割円筒体形状部材を互いに接近及び離間させる略円筒状操作部材とを備え、前記略円筒状操作部を前記ナットに対して移動させることで前記分割円筒体形状部材が接近して前記ナットの内径が第１の内径になる時前記ボルトと螺合し、前記分割円筒体形状部材が内径方向に離間して前記ナットの内径が第２の内径になる時前記ボルトと螺合しない状態となる連結用クリップにおいて、前記複数の分割円筒体形状部材はそれぞれ一体的に案内部を備え、前記略円筒状操作部材は、その内周側に、前記案内部の間に押し入れられて前記案内部の間で挟まれる挟入部と、該挟入部により移動させられる前記分割円筒体形状部材に当接して前記分割円筒体形状部材の内周面が前記ボルトの中心軸と平行に移動するよう規制する規制部とを備え、前記案内部の間に前記挟入部が無い時は前記ナットの内径は前記第１の内径となり、前記案内部の間に前記挟入部が挟まれた時は前記ナットの内径は前記第２の内径となることを特徴とする連結用クリップで連結固定されることを特徴とするトイレ用衛生器具を構成した。
【００１６】
上記構成によれば、従来のこの種の器具と比較して、構成品の連結がより確実に、連結の解除がより容易なトイレ用衛生器具を構成することが可能になる。
【００１７】
【発明の実施の形態】
本発明の実施形態である連結用クリップの構成を添付した図１及び図２に基づいて以下に説明する。
【００１８】
図１に示すように、この連結用クリップは主にボルトが螺合されるナット部１１、ナット部１１の一端側（図１の右端側）及び外周側に嵌合され、ナット部１の内径を操作するための操作部１２及び、ナット部１１の他端側（図１の左端側）に連結されるパッキン部１３から構成される。
【００１９】
ナット部１１は他端部に大径部を有する２段形状の略円筒状の樹脂製部材である。ナット部１１の内周面には雌ネジ部が内周面の全長にわたって形成されており、ナット部１１内径と略等しい外径の図示しないボルトが螺合されるようになっている。略円筒状のナット部１１は中心軸を含む図１に示す、図１紙面に垂直な平面Ｐ１により２分割された形状をしており、２分割された略円筒状の部分である半円筒部１４ａ、１４ｂそれぞれの一端部は薄肉ヒンジ部１５ａ、１５ｂを介して環状部１６と一体的に連結している。半円筒部１４ａ、１４ｂ、薄肉ヒンジ部１５ａ、１５ｂ及び環状部１６は図５に示す樹脂製の一体成形部品である。図５は薄肉ヒンジ部１５ａ、１５ｂを折り曲げて半円筒部１４ａ、１４ｂが対向するように組み上げる前のナット部１１を示す。
【００２０】
図１及び図５に示すように半円筒部１４ａの一端側の外周面上には係止爪２３ａ、２４ａが形成されている。同様に、半円筒１４ｂの一端側の外周面にも係止爪２３ｂ、２４ｂが形成されている。係止爪２３ａ、２４ａは操作部１２に設けられた貫通孔１２ａ、１２ｂの縁部に係合して操作部１２がナット部１１から抜け落ちないようになっている。係止爪２３ｂ、２４ｂについても同様に操作部１２を係止するよう形成されている。
【００２１】
図１及び図５に示すように、半円筒部１４ａ、１４ｂの外周面周方向中央部には係合凸部２７ａ、２７ｂが形成されている。同様に、半円筒部１４ｂの外周面周方向端部には案内部２５ｂ、２６ｂが形成されている。図２に示すように、係合凸部２７ａの外周面周方向外側（図２上下方向）には操作部１２の係合溝３５ａがその側壁が所定間隔を取って配置されている。係合凸部２７ｂについても操作部１２の係合溝３６ｂが同様に配置されている。
【００２２】
操作部１２は略円筒状の部材で、その周面にナット部１１の半円筒部１４ａ、１４ｂの係止爪が係止される貫通孔１２ａ、１２ｂを備える。また、内周面には半円筒部１４ａ、１４ｂの係合凸部２７ａ、２７ｂを係合する係合溝３５ａ、３５ｂが形成されている。係合溝３５ａ、３５ｂは内側において係合凸部２７ａ、２７ｂが摺動可能に形成されている。
【００２３】
図１に示すように、ナット部１１が組み上がった状態では案内部２５ａと案内部２５ｂは対向して当接している。案内部２５ａ及び２５ｂには周方向端部から中央部へ所定幅の凹部２８ａ、２８ｂが形成されている。図１に示すように、半円筒部１４ａと半円筒部１４ｂの周方向端部が対向して当接している状態で、凹部２８ａ、２８ｂは繋がって前述の平面Ｐ（又は周方向端面）について対称な形状の凹部を形成している。
【００２４】
図１及び図２に示すように、凹部２８ａ、２８ｂ内には操作部１２の内周に設けられた薄い円柱状の挟入部３０ａが遊嵌されている。凹部２８ａ、２８ｂの深さは挟入部３０ａの高さと略等しく、凹部２８ａ、２８ｂの幅（上述の所定の幅）は挟入部３０ａの外径より若干大きくなるように形成されている。図１では図示しない案内部２６ｂ、２６ｂ（図５）に設けられた凹部２９ａ、２９ｂにも図示しない挟入部３０ｂが遊嵌されており、同様な形状をしている。
【００２５】
さらに図１に示すように、凹部２８ａ、２８ｂの幅は途中から一端側（図１の右端側）向かって幅が狭くなるように形成され、幅がゼロになった部分に隣接して保持部３１ａ、３１bが形成されている。保持部３１ａ、３１ｂの先端は図１に示す状態では互いに当接している。さらに保持部３１ａ、３１ｂの一端側に隣接して凹部３３ａ、３３ｂが形成されている。凹部３３ａ、３３ｂの半円筒部１４ａ、１４ｂの外周方向の幅は凹部２８ａ、２８ｂの同方向の幅と比べ狭く形成されている。
【００２６】
図１に示す半円筒部１４ａ、１４ｂの裏側にも、上述の凹部と対称位置に保持部３２ａ、３２ｂ、凹部３４ａ、３４ｂが形成されている。（平面図は図５に示す。）
半円筒部１４ａ、１４ｂのそれぞれの他端部には大径部１７ａ、１７ｂが一体的に設けられている。大径部１７ａ、１７ｂの内周側には嵌合溝１８ａ、１８ｂが形成されており、パッキン部１３の一端に形成されたフランジ部１９と嵌合し、パッキン部１３が軸方向に動かないように固定している。
【００２７】
パッキン部１３は半球状のゴムパッキン２０とフランジ部２１とフランジ部１９を備える略円筒状の樹脂製のベース部２２からなる。半球状のゴムパッキン２０は軸方向に挿通する挿通孔２０ａを有する。ゴムパッキン２０の挿通孔２０ａ内には一端側からベース部２２が挿入嵌合され、ゴムパッキン２０の一端側はフランジ部２１に当接し固定されている。
【００２８】
ベース部２２の一端側にはフランジ部２１に隣接平行してフランジ部１９が設けられている。ベース部２２に設けられたフランジ部１９はナット部１１に設けられた嵌合溝１８ａ、１８ｂの周方向には摺動可能であり、パッキン部１３はナット部１１と軸方向には移動せず、周方向には摺動するように固定されている。
【００２９】
本発明の実施形態である連結用クリップの作動を添付した図３及び２に基づいて以下に説明する。
【００３０】
この連結用クリップは例えば、図６に示すように、便器６１に便座６２を固定するため固定箇所６３に挿通させた図示しない樹脂製ボルトに螺合されたり、便器６１に洗浄用水タンク６４を固定するため固定箇所６５に挿通させた図示しない樹脂製ボルトに螺合されて使用される。
【００３１】
操作部１２をナット部１１に対して軸方向一端側（図１の右端側）に移動させた図３及び図４に示す状態にして、この状態で半円筒部１４ａ、１４ｂは軸方向に垂直方向（図４の上下方向外側）に平行移動して、ナット部１１の内径が広がる（図３）ため、図３及び図４では連結用クリップはナット部１１内周面に螺合する図示しないボルトの外周において遊嵌可能な状態になる。
【００３２】
従って、例えば図６に示した便器６１に便座６２や洗浄用水タンク６４を取り付ける際、作業者は図示しないボルトに図３に示す状態の連結用クリップをパッキン部１３から先に遊嵌する。パッキン部１３が固定箇所６３、６５に当接した後、操作部１２をナット部１１に対して軸方向他端側（図３の左端側）に押し込んで移動させる。
【００３３】
この操作により、半円筒部１４ａ、１４ｂは軸方向に垂直方向（図４の上下方向内側）に平行移動して、ナット部１１の内径は狭く（図２）なり、連結用クリップはナット部１１内周面に螺合する図１及び図２に示す状態になる。この状態で連結用クリップの操作部１２外周部を把持して回動して、連結用クリップと図示しないボルトの締め付けを行う。上述のように操作部１２を操作することで、力を込めて連結用クリップをボルトに絞める位置まではボルト外周に連結用クリップを遊嵌挿通させて移動できるため、締め付けのため作業者が手で連結用クリップを回す回転量を減らすことができ、ボルトへの連結クリップの締め込みが楽になり、便器６１と便座６２、洗浄用水タンク６４等との連結作業を容易且つ速やかに行うことができる。
【００３４】
また、締め込まれた連結用クリップの操作部１２を連結用クリップの一端側（図３の右側）に引っ張ることで連結用クリップは図３及び図４に示す状態になり、ボルトとの螺合が速やかに解除されるため、便器６１と便座６２、洗浄用水タンク６４等との連結解除を容易且つ速やかに行うことができる。従って、便器６１から便座６２や洗浄用水タンク６４を取り外しが容易になる。
【００３５】
さて、本発明による連結用クリップに特有の作動を以下に説明する。
【００３６】
図１及び図２の状態の連結用クリップにおいて、操作部１２を図１の右方向に移動させる。この時、操作部１２に一体に設けられている挟入部３０ａは凹部２８ａ、２８ｂ内側を図１右方向に移動する。凹部２８ａ及び２８ｂの幅を狭めた部分に至ると、凹部２８ａ及び２８ｂの縁部を図１の上下方向外側に押し分けて、保持部３１ａ、３１bを乗り越える。保持部３１ａ、３１ｂを乗り越えた挟入部３０ａは３３ａ及び３３ｂの間に挟まれつつ、半円筒部１４ａ、１４ｂを図３の上下方向外側に押し広げている。なお、図３に図示しない凹部２９ａ及び２９ｂ内側にある挟入部３０ｂも同様に保持部３２ａ、３２ｂ（図５）を乗り越え凹部３４ａ、３４ｂ（図５）の間に移動する。以上の作動を経て、連結用クリップは図３及び図４に示す状態になる。
【００３７】
この作動の途中で、半円筒部１４ａの案内部２５ａ、半円筒部１４ｂの２６ｂは係合溝３６ａ（規制部）に当接して半円筒部１４ａ、１４ｂを互いに平行に保持することができる。同様に、図３に図示しない半円筒部１４ｂの案内部２５ｂ、半円筒部１４ｂの２６ｂは係合溝３６ｂに当接して半円筒部１４ａ、１４ｂを互いに平行に保持することができる。また、半円筒部１４ａ、１４ｂそれぞれの一端部に一体的に形成されている薄肉ヒンジ１５ａ、１５ｂ及び環状部１６も半円筒部１４ａ、１４ｂを図３の上下方向外側に押し広げられる際に半円筒部１４ａ、１４ｂのそれぞれの一端が内側に向かって移動することで発生する軸方向に対する回動運動を規制している。係合溝３６ａ、３６ｂ及び薄肉ヒンジ１５ａ、１５ｂ及び環状部１６により、半円筒部１４ａ及び１４ｂは軸方向に対し垂直方向外側（図３上下方向外側）へ平行移動することが可能になる。
【００３８】
この平行移動により図示しないボルトと半円筒部１４ａ、１４ｂの内周面に形成される雌ネジ部の一端側の部分も十分に外側へ移動するため図示しないボルトとの干渉の恐れがなくなった。
【００３９】
従って、半円筒部１４ａ、１４ｂの内周面の軸方向全長にわたって雌ネジ部を形成することが可能になり、樹脂製の連結用クリップと樹脂製ボルトの間で締結力を十分に確保することが可能になる。
【００４０】
また、操作部１２の一端側には断面が六角形の筒状部３９が形成されており、筒状部３９にスパナ等の工具を嵌めて増し締めすることも可能になっている。
【００４１】
【発明の効果】
本発明により、ボルトによる締結の際にボルトの先端部に螺合される連結用クリップに関し、特にトイレの便座、洗浄用水タンク等を便器に取り付ける場合等に使用される連結用クリップが構成できる。
【図面の簡単な説明】
【図１】本発明の実施形態である連結用クリップの概略を示す縦断面図である。
【図２】図１のＡ−Ａ断面図である。
【図３】本発明の実施形態である連結用クリップの操作部を移動させた状態を示す縦断面図である。
【図４】図３のＢ−Ｂ断面図である。
【図５】樹脂からなる一体成形部材であるナットを展開した状態を示す図である。
【図６】本発明の連結クリップで構成品を連結固定したトイレ用衛生器具の一例を示す図である。
【符号の説明】
１１    ナット部
１２    操作部
１４ａ、１４ｂ    半円筒部
２８ａ、２８ｂ、２９ａ、２９ｂ  案内部
３０ａ、３０ｂ    挟入部
３６ａ、３６ｂ    係合溝（規制部）
【図１】
0003843849.tif 000002
【図２】
0003843849.tif 000003
【図３】
0003843849.tif 000004
【図４】
0003843849.tif 000005
【図５】
0003843849.tif 000006
【図６】
0003843849.tif 000007